(57)【要約】      （修正有）【課題】スライドレールの収納に自動ロック固定機能を備えさせ、スライドレールの引き出し操作の過程において、スライドレールのロック固定機構を解除することができるスライドレールアセンブリの収納係合ロック構造を提供する。【解決手段】停止ロック部品１８は第一レール１０に位置され、係合ロック部品２０は第二レール１２に可動状に接続し、釈放部品２２は窓口３０を備え、窓口３０は係合ロック部品２０を内部に収容し、窓口３０の内壁は斜面３４を備え、弾性部品３８は係合ロック部品２０と釈放部品２２の窓口３０内縁との間に接触停止し、これにより、係合ロック部品２０は停止ロック部品１８に相対し、第二レール１２を第一レール１０に収納すると、係合ロック部品２０と停止ロック部品１８とは相互に係合し、弾性部品３８の弾力により係合ロック部品２０を押さえ、釈放部品２２の操作部２８が引き出されると、係合ロック部品２０は窓口３０の斜面３４により押さえられ、連動され、これにより、係合ロック部品２０は停止ロック部品１８より離脱する。【選択図】図２
0003174027.tif 000002
【実用新案登録請求の範囲】
【請求項１】
第一レール、第二レール、ロック固定機構を備える、スライドレールアセンブリの収納係合ロック構造であって、
前記第二レールは、前記第一レールに対して縦方向にスライドして移動し、
前記ロック固定機構は、停止ロック部品、係合ロック部品、釈放部品、弾性部品備え、
前記停止ロック部品は、前記第一レールに位置され、
前記係合ロック部品は、前記第二レールに可動状に接続し、
前記釈放部品は、前記第二レールに縦方向に可動状に連接すると共に、操作部及び窓口を備え、前記窓口は係合ロック部品を内部に収容し、前記窓口の内壁は、斜面を備え、前記係合ロック部品に対応し、
前記弾性部品は、前記係合ロック部品と前記釈放部品の窓口内縁との間に接触して停止し、これにより、前記係合ロック部品は、常態的に停止ロック部品に対応し、
前記第二レールを前記第一レールに対して収納すると、前記係合ロック部品と前記停止ロック部品とは、相互に係合しロック定位し、前記弾性部品の弾力により、前記係合ロック部品を押さえ、前記釈放部品の操作部が、外力により引き出されると、前記係合ロック部品は、前記釈放部品の窓口の斜面により押さえられ、ある角度の移動を連動され、これにより、前記係合ロック部品は、前記停止ロック部品より離脱することを特徴とする、スライドレールアセンブリの収納係合ロック構造。
【請求項２】
前記スライドレールアセンブリの収納係合ロック構造はさらに、第三レールを備え、前記第一レールと前記第二レールとの間にスライド状に連接することを特徴とする、請求項１に記載のスライドレールアセンブリの収納係合ロック構造。
【請求項３】
前記弾性部品は、脚部で、前記釈放部品から延伸し、撓み性を備えることを特徴とする、請求項１に記載のスライドレールアセンブリの収納係合ロック構造。
【請求項４】
前記弾性部品は、脚部で、前記係合ロック部品に連接し、撓み性を備えることを特徴とする、請求項１に記載のスライドレールアセンブリの収納係合ロック構造。
【請求項５】
前記スライドレールアセンブリの収納係合ロック構造はさらに、ブラケットを備え、前記第一レールに連接することを特徴とする、請求項１に記載のスライドレールアセンブリの収納係合ロック構造。
【請求項６】
前記停止ロック部品は停止片で、前記ブラケットから延伸することを特徴とする、請求項５に記載のスライドレールアセンブリの収納係合ロック構造。
【請求項７】
前記ブラケットは、嵌合部品を備え、前記停止ロック部品は、前記嵌合部品から延伸することを特徴とする、請求項５に記載のスライドレールアセンブリの収納係合ロック構造。
【考案の詳細な説明】
【技術分野】
【０００１】
本考案はスライドレールアセンブリの収納係合ロック構造に係り、特にスライドレール収納後に自動的にロック固定され、しかもロック解除をより便利でスムーズにすることができるスライドレールアセンブリの収納係合ロック構造に関する。
【背景技術】
【０００２】
スライドレール収納時のロック装置に関する従来の技術には、特許文献１に示す構造がある。特許文献１に示すように、スライドレール前端には、嵌合部品を設置し、そのひきだしレールと中間レールを制限し、中間レールと棚レールとは相互に定位される。
【０００３】
特許文献２に示すように、ひきだし類物件をスライドレールに連結し、スライドレールを支柱上に設置し、ひきだし類物件上の係合ロック装置を利用し、支柱に定位する。
【０００４】
特許文献３、４に示すように、本出願人が以前提案したスライドレールのボルトフック設計では、そのスライドレールの内レール前端には、ボルトフック構造を設け、スライドレール収納時に、ボルトフック構造により、スライドレールの固定部位において係合ロックする。
【０００５】
また、同じく本出願人の特許文献５は、スライドレールをラックに対して、迅速にロックし、或いはロック解除することができ、しかもスライドレール収納時には自動的にロック固定される。
【０００６】
Sandoval氏の特許文献６「User-controllable  latching  carrier  rail  system」には、可動ラッチ部品(movable  latching  member  212A、FIG.3B参照)が開示されている。ラッチ部品は、末端部分(distal  portion  310A)を備え、スライドレール(slide  rail  302A)に固定して接続し、中間部分(Intermediate  portion  310B)と末端部分は角度を形成し、近位部分(proximal  portion  310C)は中間部分より延伸し、ハンドル(handle)204は、近位部分から延伸する。近位部分は、突出部(protrusion  308)を備え、使用者はハンドルを直接操作することで、中間部分と近位部分をスライドレールに対して変形させ、こうして突出部はロック固定状態から離脱する。
【０００７】
上記したように、スライドレール収納のロック固定設計は非常に多様化しているが、本出願人は、この領域において、さまざまな使用のニーズに応えるスライドレールを積極的に開発している。本考案は、従来のスライドレールアセンブリの収納係合ロック構造とは違った特殊な設計で、スライドレールのロック解除をより便利でスムーズにすることができる。
【先行技術文献】
【特許文献】
【０００８】
【特許文献１】米国特許第5,033,805号公報
【特許文献２】米国特許第6,398,041B1号公報
【特許文献３】米国特許第6,883,884B2号公報
【特許文献４】米国特許第7,604,308B2号公報
【特許文献５】米国特許公開第2009/0294393A1公報
【特許文献６】米国特許第7,364,244B2号公報
【考案の概要】
【考案が解決しようとする課題】
【０００９】
本考案が解決しようとする課題は、スライドレールの収納に自動ロック固定機能を備えさせ、しかもスライドレールの引き出し操作の過程において、スライドレールのロック固定機構をついでに解除することができるスライドレールアセンブリの収納係合ロック構造を提供することである。
【課題を解決するための手段】
【００１０】
上記課題を解決するため、本考案のスライドレールアセンブリの収納係合ロック構造は、第一レール、第二レール、ロック固定機構を備え、該第二レールは、該第一レールに縦方向にスライドして相対し移動し、該ロック固定機構は、停止ロック部品、係合ロック部品、釈放部品、弾性部品備え、該停止ロック部品は、第一レールに位置し、該係合ロック部品は、該第二レールに可動状に接続し、該釈放部品は、該第二レールに縦方向に可動状に連接し、該釈放部品は、操作部及び窓口を備え、該窓口は係合ロック部品を内部に収容し、該窓口の内壁には、斜面を備え、該係合ロック部品に相対し、該弾性部品は、該係合ロック部品と該釈放部品の窓口内縁との間に接触して停止し、これにより該係合ロック部品は、常態的に停止ロック部品に相対し、該第二レールを該第一レールに対して収納すると、該係合ロック部品と該停止ロック部品とは、相互に係合しロック定位し、該弾性部品の弾力により、該係合ロック部品を押さえ、該釈放部品の操作部が、外力により引き出されると、該係合ロック部品は、該釈放部品の窓口の斜面により押さえられ、ある角度の移動を連動され、これにより該係合ロック部品は、該停止ロック部品より離脱し、
さらに、第三レールを備え、該第一レールと該第二レールとの間にスライド状に連接し、
さらに、該弾性部品は、脚部で、該釈放部品から延伸し、撓み性を備え、
或いは、該弾性部品は、脚部で、該係合ロック部品に連接し、撓み性を備え、
さらに、ブラケットを備え、該第一レールに連接し、
さらに、該停止ロック部品は停止片で、該ブラケットから延伸し、
さらに、該ブラケットは、嵌合部品を備え、該停止ロック部品は、該嵌合部品から延伸する。
【考案の効果】
【００１１】
本考案のスライドレールアセンブリの収納係合ロック構造は、スライドレールの収納に自動ロック固定機能を備えさせ、しかもスライドレールの引き出し操作の過程において、スライドレールのロック固定機構をついでに解除することができる。
【図面の簡単な説明】
【００１２】
【図１】本考案の実施例のスライドレールアセンブリの配置模式図である。
【図２】本考案の実施例のロック固定機構を、スライドレールアセンブリに設置する配置模式図である。
【図３】本考案の実施例のロック固定機構において、停止ロック部品の別種の形態の模式図である。
【図４】本考案の実施例のロック固定機構において、弾性部品が脚部で、釈放部品から延伸する様子を示す模式図である。
【図５】本考案の実施例のロック固定機構において、弾性部品が脚部で、係合ロック部品に連接する様子を示す模式図である。
【図６】本考案の実施例のスライドレールアセンブリが、ロック固定機構によりロック固定される様子を示す模式図である。
【図７】本考案の実施例の釈放部品が外力により引き出される時、係合ロック部品が停止ロック部品から離脱する様子を示す模式図である。
【考案を実施するための形態】
【００１３】
以下に図面を参照しながら本考案を実施するための最良の形態について詳細に説明する。
【００１４】
図１に示すスライドレールアセンブリは、第一レール10、第二レール12、第三レール14、ロック固定機構16(詳細は図２を参照)を備える。第一レール10は外レールで、第二レール12は内レールで、第三レール14は中レールである。
【００１５】
第二レール12は、第三レール14にスライド状に連接する。第三レール14は、第一レール10にスライド状に連接する。よって、第二レール12と第一レール10は、縦方向スライド移動の関係にある。第三レール14は、第一レール10と第二レール12との間に、スライド状に連接し、第三レール14により、第二レール12は第一レール10に相対し、延伸して展開し、より長い距離を移動することができる。第二レール12が第一レール10に相対して収納される時、第二レール12はロック固定機構16によりロック固定され、第一レール10に対して定位を保持される。
【００１６】
図２に示すように、ブラケット102は、第一レール10に連接する。ブラケット102は、複数の設置部品104、及び嵌合部品106を備え、各設置部品104により、ラック(rack、図示せず)の支柱の複数の対応する孔内に設置して定位され、及び嵌合部品106によりラックの支柱に嵌合して定位される。こうして、スライドレールアセンブリはラック上に設置される。
【００１７】
一対のスライドレールアセンブリが、ラックの相対側の水平相対位置に設置される時、シャーシー(chassis、図示せず)は、一対のスライドレールアセンブリによりラックに設置される。上記内容は、本考案の一種の実施形態に過ぎず、例として参考に挙げるものである。注意しなければならない点は、ブラケット102は、第一レール10に連接し、第一レール10の長さを延伸することである。よって、実際の使用と構造等価の観点から、ブラケット102は、第一レール10の一部分と見なすことができる。別に、第二レール12は、一対の辺壁122を備える。
【００１８】
本考案の最適実施例中では、ロック固定機構16は、停止ロック部品18、係合ロック部品20及び釈放部品22を備える。停止ロック部品18は、第一レール10に設置し、好ましくは、第一レール10に近い一端に設置する。例えば、本実施例中では、停止ロック部品18は停止片で、プレス成型手段により、嵌合部品106から延伸する。或いは、図３に示すように、停止ロック部品18は、第一レール10のブラケット102の一部分で、例えば、プレス成型手段により、ブラケット102から延伸して成型される。
【００１９】
係合ロック部品20は、ピボット24により、第二レール12に可動状に接続され、ピボット24は、頭部26を備える。釈放部品22は、第二レール12に縦方向に可動状に連接する。図４に示すように、釈放部品22は、操作部28及び窓口30を備え、窓口30は係合ロック部品20を内部に収容する。しかも、窓口30を取り囲み、釈放部品22と連なる壁板32を形成し、壁板32は斜面34を備え、係合ロック部品20に相対する。さらに、ピボット24の頭部26により、壁板32を覆って接触し、これにより、釈放部品22は第二レール12に密着する。また、図２に示すように、釈放部品22の側面には、２本の凹槽36を形成し、各凹槽36により、第二レール12の辺壁122に嵌めて保持する。
【００２０】
本実施例中において、ロック固定機構16はさらに、弾性部品を備え、係合ロック部品20と釈放部品22の窓口30内縁との間に接触して停止する。こうして、係合ロック部品20は、弾性部品が生じる弾力により、停止ロック部品18に相対を常態的に保持する。図４に示すように、弾性部品は、脚部38で、釈放部品22から延伸し、撓み性を備える。或いは、図５に示すように、弾性部品は、脚部38Aで、係合ロック部品20に連接し、撓み性を備える。
【００２１】
上記した設置により、第二レール12を第一レール10に対して収納すると、図６に示すように、係合ロック部品20は、停止ロック部品18と相互に係合してロック定位される。弾性部品、例えば、釈放部品22から延伸して形成される脚部38の弾力により、係合ロック部品20を押さえ、係合ロックの堅固性を保持することができる。
【００２２】
図７に示すように、釈放部品22の操作部28が外力により引き出されると(図示の矢印方向を参照)、係合ロック部品20は、釈放部品22の窓口30の斜面34により押さえられ、ある角度の連動を行われる。こうして、係合ロック部品20は、停止ロック部品18から離脱する。よって、第二レール12は、第一レール10に相対し自由に引き出される。釈放部品22の操作部28を放すと、係合ロック部品20は、弾性部品、例えば前記の脚部38の弾力により、停止ロック部品18に相対する位置に戻る。これにより、第二レール12が第一レール10に対して再度収納されると、係合ロック部品20もまた、停止ロック部品18との相互係合ロック定位を再度保持する(図６を参照)。
【００２３】
上記の本考案名称と内容は、本考案技術内容の説明に用いたのみで、本考案を限定するものではない。本考案の精神に基づく等価応用或いは部品(構造)の転換、置換、数量の増減はすべて、本考案の保護範囲に含むものとする。
【産業上の利用可能性】
【００２４】
本考案は実用新案登録の要件である新規性を備え、従来の同類製品に比べ十分な進歩性を有し、実用性が高く、社会のニーズに合致しており、産業上の利用価値は非常に大きい。
【符号の説明】
【００２５】
10：第一レール
12：第二レール
14：第三レール
16：ロック固定機構
18：停止ロック部品 
20：係合ロック部品
22：釈放部品
24：ピボット
26：頭部
28：操作部
30：窓口
32：壁板
34：斜面
36：凹槽
38：脚部
38A：脚部
102：ブラケット
104：設置部品
106：嵌合部品
122：辺壁
【図１】
0003174027.tif 000003
【図２】
0003174027.tif 000004
【図３】
0003174027.tif 000005
【図４】
0003174027.tif 000006
【図５】
0003174027.tif 000007
【図６】
0003174027.tif 000008
【図７】
0003174027.tif 000009